【手続補正書】
【提出日】平成27年5月13日(2015.5.13)
【手続補正１】
【補正対象書類名】明細書
【補正対象項目名】発明の名称
【補正方法】変更
【補正の内容】
【発明の名称】画像形成装置、画像形成装置に用いられるカートリッジ及び枠体
【手続補正２】
【補正対象書類名】明細書
【補正対象項目名】０００１
【補正方法】変更
【補正の内容】
【０００１】
本発明は、画像形成装置、画像形成装置に用いられるカートリッジ及び枠体に関する。
【手続補正３】
【補正対象書類名】明細書
【補正対象項目名】０００５
【補正方法】変更
【補正の内容】
【０００５】
上記目的を達成するために本発明にあっては、
画像形成装置本体に設けられた電気接点に電気的に接続される回転部材を有する画像形成装置本体に着脱可能なカートリッジであって、
枠体と、
導電性の樹脂が前記枠体に対して注入されることによって前記枠体と一体的に成形され、前記回転部材を前記画像形成装置本体の前記電気接点と電気的に接続する、前記回転部材の軸受部となる電極部材と、
を有することを特徴とする。
画像形成に使用される回転部材と、
画像形成装置の本体に設けられた電気接点と、
を有する画像形成装置であって、
枠体と、
導電性の樹脂が前記枠体に対して注入されることによって前記枠体と一体的に成形され、前記回転部材を前記電気接点と電気的に接続する、前記回転部材の軸受部となる電極部材と、
を有することを特徴とする。
回転可能な回転部材と、電気接点と、を有する画像形成装置に用いられる枠体であって
、
導電性の樹脂が前記枠体に対して注入されることによって前記枠体と一体的に成形され、前記回転部材を前記画像形成装置の本体に設けられた電気接点と電気的に接続する、前記回転部材の軸受部となる電極部を有することを特徴とする。
【手続補正４】
【補正対象書類名】特許請求の範囲
【補正対象項目名】全文
【補正方法】変更
【補正の内容】
【特許請求の範囲】
【請求項１】
画像形成装置本体に設けられた電気接点に電気的に接続される回転部材を有する画像形成装置本体に着脱可能なカートリッジであって、
枠体と、
導電性の樹脂が前記枠体に対して注入されることによって前記枠体と一体的に成形され、前記回転部材を前記画像形成装置本体の前記電気接点と電気的に接続する、前記回転部材の軸受部となる電極部材と、
を有することを特徴とするカートリッジ。
【請求項２】
前記電極部材は、前記回転部材を支持する支持部と、前記画像形成装置本体の前記電気接点と接触する接点部と、を有することを特徴とする請求項１に記載のカートリッジ。
【請求項３】
前記枠体は、前記枠体に設けられた貫通孔を有し、
前記電極部材は、前記貫通孔を貫通する貫通部を有し、
前記貫通部は、前記支持部と前記接点部と、の間に設けられている
ことを特徴とする請求項２に記載のカートリッジ。
【請求項４】
前記接点部は、前記貫通孔の貫通方向において前記電極部材の移動を規制することを特徴とする請求項３に記載のカートリッジ。
【請求項５】
前記支持部は、前記貫通孔の貫通方向において前記電極部材の移動を規制することを特徴とする請求項３または４に記載のカートリッジ。
【請求項６】
前記電極部材に用いられる樹脂材料の収縮率を、前記枠体の樹脂材料の収縮率よりも大きいものとし、前記接点部と前記支持部とで前記貫通孔の貫通方向における前記電極部材の移動を規制することを特徴とする請求項３に記載のカートリッジ。
【請求項７】
前記回転部材は、感光体に形成された静電潜像を現像するための現像ローラであることを特徴とする請求項１ないし６のいずれか１項に記載のカートリッジ。
【請求項８】
前記回転部材は、感光体に形成された静電潜像を現像するための現像ローラに現像剤を供給する現像剤供給ローラであることを特徴とする請求項１ないし６のいずれか１項に記載のカートリッジ。
【請求項９】
前記電極部材は、凹部を有し、
前記回転部材の端部は、前記凹部に挿入され、前記回転部材が前記電極部材に支持されることを特徴とする請求項１ないし８のいずれか１項に記載のカートリッジ。
【請求項１０】
前記回転部材は、長手方向の端面に凹部を有し、
前記電極部材は、凸部を有し、
前記凸部は、前記凹部に挿入され、前記回転部材が前記電極部材に支持されることを特徴とする請求項１ないし８のいずれか１項に記載のカートリッジ。
【請求項１１】
画像形成に使用される回転部材と、
画像形成装置の本体に設けられた電気接点と、
を有する画像形成装置であって、
枠体と、
導電性の樹脂が前記枠体に対して注入されることによって前記枠体と一体的に成形され、前記回転部材を前記電気接点と電気的に接続する、前記回転部材の軸受部となる電極部材と、
を有することを特徴とする画像形成装置。
【請求項１２】
前記電極部材は、前記回転部材を支持する支持部と、前記電気接点と接触する接点部と、を有することを特徴とする請求項１１に記載の画像形成装置。
【請求項１３】
前記枠体は、前記枠体に設けられた貫通孔を有し、
前記電極部材は、前記貫通孔を貫通する貫通部を有し、
前記貫通部は、前記支持部と前記接点部と、の間に設けられている
ことを特徴とする請求項１２に記載の画像形成装置。
【請求項１４】
前記接点部は、前記貫通孔の貫通方向において前記電極部材の移動を規制することを特徴とする請求項１３に記載の画像形成装置。
【請求項１５】
前記支持部は、前記貫通孔の貫通方向において前記電極部材の移動を規制することを特徴とする請求項１３または１４に記載の画像形成装置。
【請求項１６】
前記電極部材に用いられる樹脂材料の収縮率を、前記枠体の樹脂材料の収縮率よりも大きいものとし、前記接点部と前記支持部とで前記貫通孔の貫通方向における前記電極部材の移動を規制することを特徴とする請求項１３に記載の画像形成装置。
【請求項１７】
前記回転部材は、感光体に形成された静電潜像を現像するための現像ローラであることを特徴とする請求項１１ないし１６のいずれか１項に記載の画像形成装置。
【請求項１８】
前記回転部材は、感光体に形成された静電潜像を現像するための現像ローラに現像剤を供給する現像剤供給ローラであることを特徴とする請求項１１ないし１６のいずれか１項に記載の画像形成装置。
【請求項１９】
前記電極部材は、凹部を有し、
前記回転部材の端部は、前記凹部に挿入され、前記回転部材が前記電極部材に支持されることを特徴とする請求項１１ないし１８のいずれか１項に記載の画像形成装置。
【請求項２０】
前記回転部材は、長手方向の端面に凹部を有し、
前記電極部材は、凸部を有し、
前記凸部は、前記凹部に挿入され、前記回転部材が前記電極部材に支持されることを特徴とする請求項１１ないし１８のいずれか１項に記載の画像形成装置。
【請求項２１】
回転可能な回転部材と、電気接点と、を有する画像形成装置に用いられる枠体であって、
導電性の樹脂が前記枠体に対して注入されることによって前記枠体と一体的に成形され、前記回転部材を前記画像形成装置の本体に設けられた電気接点と電気的に接続する、前
記回転部材の軸受部となる電極部を有することを特徴とする枠体。
【請求項２２】
前記電極部は、前記回転部材を支持する支持部と、前記電気接点と接触する接点部と、を有することを特徴とする請求項２１に記載の枠体。
【請求項２３】
前記枠体は、前記枠体に設けられた貫通孔を有し、
前記電極部は、前記貫通孔を貫通する貫通部を有し、
前記貫通部は、前記支持部と前記接点部と、の間に設けられている
ことを特徴とする請求項２２に記載の枠体。
【請求項２４】
前記接点部は、前記貫通孔の貫通方向において前記電極部の移動を規制することを特徴とする請求項２３に記載の枠体。
【請求項２５】
前記支持部は、前記貫通孔の貫通方向において前記電極部の移動を規制することを特徴とする請求項２３または２４に記載の枠体。
【請求項２６】
前記電極部に用いられる樹脂材料の収縮率を、前記枠体の樹脂材料の収縮率よりも大きいものとし、前記接点部と前記支持部とで前記貫通孔の貫通方向における前記電極部の移動を規制することを特徴とする請求項２３に記載の枠体。
【請求項２７】
前記電極部は、凹部を有し、前記回転部材の端部が前記凹部に挿入され、前記回転部材を支持可能としたことを特徴とする請求項２１ないし２６のいずれか１項に記載の枠体。
【請求項２８】
前記電極部は、凸部を有し、前記凸部が前記回転部材の長手方向の端面に設けられた凹部に挿入され、前記回転部を支持可能としたことを特徴とする請求項２１ないし２６のいずれか１項に記載の枠体。